(57)【要約】【課題】２枚のダンボールシートを接着剤による貼り合わせにした場合、ダンボールシートの四隅に切り欠き部を設けているので、その分接着面積が狭くなり、梱包している時に接着剤がはがれ、ダンボールシートがはがれてしまうと共に、切り欠きを塞いでしまうとアングル型補強部材を固定することができず、アングル型補強部材が脱落してしまうという問題があった。【解決手段】上接合代部８２と隣接する下端隅部には上角切り欠き部８６を設けず、上接合代部８２と面続きとなる面には、下端から上向きに切り取り線部８８が２本設けられて形成されためくり部８７を有し、めくり部８７は、梱包時、めくり部８７をめくるとアングル型補強部材６が露出するようにしたと共に、少なくともめくり部８７から露出したアングル型補強部材６と上下梱包材とを粘着テープ１２で固定した時にアングル型補強部材６が脱落しない程度接着面積を確保できる大きさとした。【選択図】図６
2018122911.tif 000002
【特許請求の範囲】
【請求項１】
機器を梱包する梱包材であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、
前記上梱包材は少なくとも１枚のシートを角柱状になるように形成され、前記上梱包材の前記シートの端部に設けた上接合代部を介して貼り合わせたものであり、
前記下梱包部材の上端隅部には前記アングル型補強部材を露出させる下角切り欠き部が設けられ、
前記上梱包部材の下端隅部には前記アングル型補強部材を露出させる上角切り欠き部が設けられ、
梱包時に、前記下梱包部材の上端と前記上梱包部材の下端と前記下角切り欠き部および前記上角切り欠き部から露出している前記アングル型補強部材とを接合し、互いを固定する粘着テープを設けた梱包材において、
前記上接合代部と隣接する下端隅部には前記上角切り欠き部を設けず、前記上接合代部と面続きとなる面には、下端から上向きに切り取り線部が２本設けられて形成されためくり部を有し、前記めくり部は、梱包時、前記めくり部をめくると前記アングル型補強部材が露出するようにしたと共に、少なくとも前記めくり部から露出した前記アングル型補強部材と上下梱包材とを前記粘着テープで固定した時に前記アングル型補強部材が脱落しない程度接着面積を確保できる大きさとしたことを特徴とする梱包材。
【請求項２】
機器を梱包する梱包材であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、
前記下梱包材は少なくとも１枚のシートを角柱状になるように形成され、前記下梱包材は前記シートの端部に設けた下接合代部を介して貼り合わせたものであり、
前記下梱包部材の上端隅部には前記アングル型補強部材を露出させる下角切り欠き部が設けられ、
前記上梱包部材の下端隅部には前記アングル型補強部材を露出させる上角切り欠き部が設けられ、
梱包時に、前記下梱包部材の上端と前記上梱包部材の下端と前記下角切り欠き部および前記上角切り欠き部から露出している前記アングル型補強部材とを接合し、互いを固定する粘着テープを設けた梱包材において、
前記下接合代部と隣接する上端隅部には前記下角切り欠き部を設けず、前記下接合代部と面続きとなる面には、上端から下向きに切り取り線部が２本設けられて形成されためくり部を有し、前記めくり部は、梱包時、前記めくり部をめくると前記アングル型補強部材が露出するようにしたと共に、少なくとも前記めくり部から露出した前記アングル型補強部材と上下梱包材とを前記粘着テープで固定した時に前記アングル型補強部材が脱落しない程度接着面積を確保できる大きさとしたことを特徴とする梱包材。
【発明の詳細な説明】
【技術分野】
【０００１】
本発明は、機器底板に備えられた支持脚によって支持される機器を梱包する梱包材に関するものである。
【背景技術】
【０００２】
従来より、この種の大型の機器の梱包材は、一体に全周を覆う側面梱包部材と、天面を覆う天面梱包部材とから構成されているものがあった。
【０００３】
また、特許文献１のように、２枚のダンボールシートをステープルで貼り合わせた下梱包部材と、２枚のダンボールシートをステープルで貼り合わせた上梱包部材と、４隅に１本ずつアングル型補強部材とを備え、下梱包部材と上梱包部材はそれぞれ下角切り欠き部と上角切り欠き部を有し、梱包状態において下梱包部材の上端と上梱包部材の下端と前記下角切り欠き部および前記上角切り欠き部から露出している前記アングル型補強部材とを接合し、互いを固定する粘着テープを巻くことで梱包を行うものがあった（特許文献１）。
【先行技術文献】
【特許文献】
【０００４】
【特許文献１】特開２０１３−１８０８０１号公報
【発明の概要】
【発明が解決しようとする課題】
【０００５】
しかし、特許文献１のように、２枚のダンボールシートをステープルによって貼り合わせているが、コスト削減のために接着剤による貼り合わせにした場合、ダンボールシートの四隅に切り欠き部を設けているので、その分接着面積が狭くなり、梱包している時に接着剤がはがれ、ダンボールシートがはがれてしまう。また、切り欠きを塞いでしまうとアングル型補強部材を固定することができず、アングル型補強部材が脱落してしまうという問題があった。
【課題を解決するための手段】
【０００６】
本発明は上記課題を解決するため、機器を梱包する梱包材であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、
前記上梱包材は少なくとも１枚のシートを角柱状になるように形成され、前記上梱包材の前記シートの端部に設けた上接合代部を介して貼り合わせたものであり、
前記下梱包部材の上端隅部には前記アングル型補強部材を露出させる下角切り欠き部が設けられ、
前記上梱包部材の下端隅部には前記アングル型補強部材を露出させる上角切り欠き部が設けられ、
梱包時に、前記下梱包部材の上端と前記上梱包部材の下端と前記下角切り欠き部および前記上角切り欠き部から露出している前記アングル型補強部材とを接合し、互いを固定する粘着テープを設けた梱包材において、
前記上接合代部と隣接する下端隅部には前記上角切り欠き部を設けず、前記上接合代部と面続きとなる面には、下端から上向きに切り取り線部が２本設けられて形成されためくり部を有し、前記めくり部は、梱包時、前記めくり部をめくると前記アングル型補強部材が露出するようにしたと共に、少なくとも前記めくり部から露出した前記アングル型補強部材と上下梱包材とを前記粘着テープで固定した時に前記アングル型補強部材が脱落しない程度接着面積を確保できる大きさとした。
【０００７】
また、機器を梱包する梱包材であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、
前記下梱包材は少なくとも１枚のシートを角柱状になるように形成され、前記下梱包材は前記シートの端部に設けた下接合代部を介して貼り合わせたものであり、
前記下梱包部材の上端隅部には前記アングル型補強部材を露出させる下角切り欠き部が設けられ、
前記上梱包部材の下端隅部には前記アングル型補強部材を露出させる上角切り欠き部が設けられ、
梱包時に、前記下梱包部材の上端と前記上梱包部材の下端と前記下角切り欠き部および前記上角切り欠き部から露出している前記アングル型補強部材とを接合し、互いを固定する粘着テープを設けた梱包材において、
前記下接合代部と隣接する上端隅部には前記下角切り欠き部を設けず、前記下接合代部と面続きとなる面には、上端から下向きに切り取り線部が２本設けられて形成されためくり部を有し、前記めくり部は、梱包時、前記めくり部をめくると前記アングル型補強部材が露出するようにしたと共に、少なくとも前記めくり部から露出した前記アングル型補強部材と上下梱包材とを前記粘着テープで固定した時に前記アングル型補強部材が脱落しない程度接着面積を確保できる大きさとした。
【発明の効果】
【０００８】
このように請求項１の発明によれば、前記上接合代部が隣接する下端隅部には、前記上角切り欠き部を設けず、前記めくり部を設けることで、容易に上接合代部の長さを確保でき、接着面積を確保することができるので、梱包時にダンボールシートが開いてしまうのを防ぐことができると共に、前記アングル型補強部材を粘着テープで固定するための露出部分がなくなってしまうのを防ぎ、前記アングル型補強部材を確実に固定することができる。
【０００９】
また、請求項２の発明によれば、前記下接合代部が隣接する上端隅部には、前記下角切り欠き部を設けず、前記めくり部を設けることで容易に上接合代部の長さを確保でき、接着面積を確保することができるので、梱包時にダンボールシートが開いてしまうのを防ぐことができると共に、前記アングル型補強部材を粘着テープで固定するための露出部分がなくなってしまうのを防ぎ、前記アングル型補強部材を確実に固定することができる。
【図面の簡単な説明】
【００１０】
【図１】本発明の一実施形態の梱包の構成図
【図２】上梱包部材および下梱包部材の展開図
【図３】梱包作業を説明する斜視図
【図４】梱包作業途中の貯湯式給湯装置を見た状態を示す斜視図
【図５】梱包作業途中の貯湯式給湯装置を見た状態を示す斜視図
【図６】梱包時の貯湯式給湯装置を見た状態を示す斜視図
【発明を実施するための形態】
【００１１】
次に、本発明の一実施形態の貯湯式給湯装置の梱包材を図面に基づいて説明する。
図１において、１は機器底板２に備えられた支持脚３によって支持される機器としての貯湯式給湯装置で、湯水を貯湯する容量３００リットル〜５６０リットル程度の貯湯タンクを四角柱状の外装体に内蔵し、外装体の正面側に外部給湯配管や外部給水配管等が接続される配管接続部４が設けられており、その全高は１７００ｍｍ〜２２００ｍｍ程度、全幅は６００ｍｍ〜８００ｍｍ程度のものである。
【００１２】
５は貯湯式給湯装置１の下部に支持脚３とボルトナット等で締結固定された木製の梱包架台、６はダンボールをアングル状に折り返して形成され貯湯式給湯装置１の四隅をガードするアングル型補強部材、７は貯湯式給湯装置１の側面下半分の全周を覆うダンボール製の下梱包部材、８は貯湯式給湯装置１の側面上半分の全周および天面の一部を覆う上梱包部材である。
【００１３】
下梱包部材７は、図２（ａ）の展開図に示すように、貯湯式給湯装置１の側面のうち４面分よりアングル型補強部材６の厚さ分だけ幅広い大きさのダンボールシート７１から構成されたものである。
【００１４】
そして、７２は機器底板２の一部を露出させるための目視用切り欠き部、７３は下梱包部材７を形成するダンボールシート７１の両端を接合するための下接合代部、７４は貯湯式給湯装置１の側面に対応する部位の下梱包部材７の正面寄り上端から中程に向けて略垂直方向の切り開き用下垂直ジッパ部、７５は切り開き用下垂直ジッパ部７４の下端から下梱包部材７の正面側寄りの下端に架けて斜め方向の切り開き用下斜めジッパ部、７６は切り開き用下垂直ジッパ部７４と切り開き用下斜めジッパ部７５の交点位置に開口された下切り開き開始部である。
【００１５】
７７は下梱包部材７の上端の四隅に相当する位置を切り欠いて設けられた下角切り欠き部で、組み付け時に貯湯式給湯装置１の四隅に装着されるアングル型補強部材６を露出させるものである。
【００１６】
そして、ダンボールシート７１の右辺にある下接合代部７３をダンボールシート７１の左辺の辺縁部の内面に当てた状態で、接着剤によって接合し、角筒状の下梱包部材７が形成される。
【００１７】
上梱包部材８は、図２（ｂ）の展開図に示すように、貯湯式給湯装置１の側面のうち４面分よりアングル型補強部材６の厚さ分だけ幅広い大きさのダンボールシート８１から構成されたものである。
【００１８】
そして、８２は上梱包部材８を形成するダンボールシート７１の両端を接合するための上接合代部、８３は貯湯式給湯装置１の側面に対応する部位の上梱包部材８の正面寄り下端から中程に向けて略垂直方向の切り開き用上垂直ジッパ部、８４は切り開き用上垂直ジッパ部８３の上端から上梱包部材８の正面側寄りの上端に架けて斜め方向の切り開き用上斜めジッパ部、８５は切り開き用上垂直ジッパ部８３途中位置に開口された上切り開き開始部である。
【００１９】
８６は上梱包部材７の下端の四隅の内の上接合代部８２が無いダンボールシート８１の三つの隅部に相当する位置を切り欠いて設けられた上角切り欠き部で、組み付け時に貯湯式給湯装置１の四隅の内の三つの隅部に装着されるアングル型補強部材６を露出させるものである。ここで、上接合代部８２は隣接する一隅には後述するめくり部８７が設けられ、上角切り欠き部８６を設けていない。
【００２０】
めくり部８７は、図２（ｃ）に示すように、四隅の内の上接合代部８２と隣接する一隅には上角切り欠き部８６を設けず、上接合代部８２と面続きとなる面に設けられている。めくり部８７は、下端から縦に切り取り線部８８が２本平行に設けられ、その２本の切り取り線部８８に直交するようにめくり折り目部８９が設けられることで形成されている。
【００２１】
梱包時に切り取り線部８８を切り取り、めくり部８７をめくることで、貯湯式給湯装置１の一隅に装着されるアングル型補強部材６を露出させるものである。
【００２２】
そして、ダンボールシート８１の右辺にある上接合代部８２をダンボールシート８１の左辺の辺縁部の内面に当てた状態で、接着剤によって接合し、角筒状の上梱包部材８が形成される。
【００２３】
９は上梱包部材８を構成するダンボールシート８１のそれぞれの上端に設けられ、貯湯式給湯装置１の天面の一部を覆う天面フラップで、天面の側部側を覆う側部天面フラップ９１と、天面の前部側または後部側を覆う前後部天面フラップ９２とが直角の山折り目部９３を介して一体に構成され、山折り目部９３下端から前後部天面フラップ９２側斜め４５度上方に架けて谷折り目部９４が形成されている。
【００２４】
開梱時、切り開き用下垂直ジッパ部７４、切り開き用下斜めジッパ部７５、切り開き用上垂直ジッパ部８３、切り開き用上斜めジッパ部８４は、図２（ｄ）に示すように、多数の切り込み１０を一定間隔毎に設けた切り込み線１１を２本平行に設けて構成されており、切り込み線１１で囲まれた領域のダンボールを手で切り離すことを可能としているものである。
【００２５】
そして梱包作業時は、図３に示すように、貯湯式給湯装置１に下梱包部材７の目視用切り欠き部７１を下にすると共に、切り開き用下垂直ジッパ部７４および切り開き用下斜めジッパ部７５がない面を前後面となるようにして下梱包部材７を梱包架台５に当たる最下部まで被せ入れる。
【００２６】
次に、下梱包部材７の角部と貯湯式給湯装置１の四隅との間の隙間に挿入するようにしてアングル型補強部材６を装着し、その上から上梱包部材８を天面フラップ９が上、かつ切り開き用上垂直ジッパ部８３および切り開き用上斜めジッパ部８４がない面を前後面となる状態で下梱包部材７の上端に当たるまで被せ入れる。
【００２７】
次に、粘着テープ１２の巻き方について図４から図６を用いて詳しく説明する。
まず、図４のように、梱包作業者がめくり部８７の切り込み線部８８を切り、めくり折り目部８９の折り目に沿ってめくり上げ、アングル型補強部材６を露出させた状態で、めくり部８７より前で粘着テープ１２を巻き始め、下梱包部材７の上端と上梱包部材８の下端と下角切り欠き部７７および上角切り欠き部８８から露出しているアングル型補強部材６およびめくり部８７から露出しているアングル型補強部材６とを接合し、互いを固定し、粘着テープ１２を巻いて固定する。
【００２８】
その後、梱包作業者が粘着テープ１２で、めくり部８７の下部分を巻いてアングル型補強部材６を固定したら、図５のように、めくり部８７を閉じて、粘着テープ１２の上に重ねる。
【００２９】
次に、図６のように、重ねためくり部８７の上を粘着テープ１２で巻いて、めくり部８７を固定する。
【００３０】
そして、図６のように、梱包作業者が貯湯式給湯装置１の両側面側の側部天面フラップ９１を機器天面側に折り曲げると、前後部天面フラップ９２の谷折り目部９４が内側に折り込まれ、谷折り目部９４と山折り目部９３との間の領域の前後部天面フラップ９２の裏面が側部天面フラップ９１の裏面に密着し、谷折り目部９４と山折り目部９３との間の領域の前後部天面フラップ９２の表面が残る前後部天面フラップ９２の表面に密着するようにして側部天面フラップ９１の下面に前後部天面フラップ９２が畳まれる。
【００３１】
このようにして、梱包作業者は側部天面フラップ９１を折り畳む動作のみで前後部天面フラップ９２が側部天面フラップ９１の下方に折り込まれ、最上面にフラットな側部天面フラップ９１が位置するため、前後方向に段差のない状態を形成できる。
【００３２】
最後に、梱包作業者が固定バンド１３で上梱包部材８の天面と梱包架台５とを締め付け固定して梱包が完了する。
【００３３】
このように、下梱包部材７と上梱包部材８との突き合わせ部の三つの隅部には、下角切り欠き部７７と上角切り欠き部８６とによって形成される穴によって三つの隅部のアングル型補強部材６が露出しており、貯湯式給湯装置１の三つの隅部にアングル型補強部材６が位置していることが容易に確認でき、組み付け忘れを防止できると共に、粘着テープ１２の貼り付けによって工数を増やすことなくアングル型補強部材６を下梱包部材７および上梱包部材８に確実に固定することができる。
【００３４】
また、上接合代部８２と隣接する一隅には、上角切り欠き部８６を設けず、めくり部８７を設けることで、容易に上接合代部の長さを確保でき、接着面積を確保することができるので、梱包時にダンボールシート８１が開いてしまうのを防ぐことができると共に、アングル型補強部材６を粘着テープで固定するための露出部分がなってしまうのを防ぎ、アングル型補強部材６を確実に固定することができると共に、めくり部８７をめくることで容易に貯湯式給湯機１の一隅にアングル型補強部材６が位置していることが容易に確認でき、組み付け忘れを防止できる。
【００３５】
また、上角切り欠き部８６を設けないことで、ダンボールシート８１の上下端まで、接着面積を広げたことで、強度を向上させることができる。
【００３６】
このため、下梱包部材７および上梱包部材８の内寸がばらつき等によって大きくなっていたとしてもアングル型補強部材６の移動が防止され、貯湯式給湯装置１の四隅を確実に保護することができ、梱包後の貯湯式給湯装置１の横倒し時や運送荷台からのズリ降ろし時等にも貯湯式給湯装置１の損傷を確実に防止できる。
【００３７】
なお、本発明は上記一実施形態に限定されるものではなく、発明の要旨を変更しない範囲で改変可能なものであり、例えば、第一実施形態では、上接合代部８２と隣接する一隅には上角切り欠き部８６を設けず、上接合代部８２と面続きとなる面にめくり部８７を設けた構成となっているが、下接合代部７３が隣接する一隅には下角切り欠き部７７を設けず、下接合代部７３と面続きとなる面にめくり部８７を設けたものでも良く、上下両方にめくり部８７を設けたものでも良い。さらに、ダンボールシートを複数貼り付けた場合ではめくり部８７を複数設けるものであっても良い。
また、本発明ではめくり折り目部８９を設けて、めくり易くしているが、めくり折り目部８９を設けない構成でも梱包作業者がめくり部８７をめくることが可能であり、設けない構成でも良い。
【００３８】
また、上梱包部材８は機器上側面だけを覆う構成として、上梱包部材とは別体の天面梱包部材を設ける構成としてもよいものである。
【００３９】
また、アングル型補強部材６も、ダンボールをアングル状に折り返して形成したもののみに限られず、例えば、樹脂材料をアングル状に成形してもよいものである。
【符号の説明】
【００４０】
１    貯湯式給湯装置（機器）
６    アングル型補強部材
７    下梱包部材
７１  ダンボールシート
７３  下接合代部
７７  下角切り欠き部
８    上梱包部材
８１  ダンボールシート
８２  上接合代部
８６  上角切り欠き部
８７  めくり部
８８  切り取り線部
１２  粘着テープ
【図１】
2018122911.tif 000003
【図２】
2018122911.tif 000004
【図３】
2018122911.tif 000005
【図４】
2018122911.tif 000006
【図５】
2018122911.tif 000007
【図６】
2018122911.tif 000008